(57)【特許請求の範囲】
【請求項１】
第２中足骨と第３中足骨との間に頂点を有する横アーチ用凸部、内側縦アーチ用凸部及び外側縦アーチ用凸部を有する女性靴のヒールの高さに応じて前記横アーチ用凸部、内側縦アーチ用凸部及び外側縦アーチ用凸部の各々の頂点の高さ及びその頂点の位置が相違させられて、該当の女性靴の中底に張り付けられて用いられるインソールであって、
前記女性靴は、所定の高さを基準高さとし、この基準高さの基準ヒールを有する基準ヒール女性靴又は前記基準ヒールよりも高い高ヒールを有する高ヒール女性靴若しくは、前記基準ヒールより低い低ヒールを有する低ヒール女性靴であり、
前記高ヒール女性靴に用いられるインソールを高ヒール用インソールとし、この高ヒール用インソールは、
前記横アーチ用凸部を高ヒール用インソール横アーチ用凸部とし、この高ヒール用インソール横アーチ用凸部の頂点である高ヒール用インソール横アーチ用凸部頂点の高さが、前記基準ヒール女性靴に用いられる基準ヒール用インソールの横アーチ用凸部の頂点である基準ヒール用インソール横アーチ用凸部頂点及び前記低ヒール女性靴に用いられる低ヒール用インソールの横アーチ用凸部の頂点である低ヒール用インソール横アーチ用凸部頂点に対して最も低くされて、前記高ヒール用インソール横アーチ用凸部を形成しており、
前記内側縦アーチ用凸部を高ヒール用インソール内側縦アーチ用凸部とし、この高ヒール用インソール内側縦アーチ用凸部の頂点である高ヒール用インソール内側縦アーチ用凸部頂点の高さが、前記基準ヒール用インソールの内側縦アーチ用凸部の頂点である基準ヒール用インソール内側縦アーチ用凸部頂点及び前記低ヒール用インソールの内側縦アーチ用凸部の頂点である低ヒール用インソール内側縦アーチ用凸部頂点に対して最も高くされて、前記高ヒール用インソール内側縦アーチ用凸部を形成しており、
前記外側縦アーチ用凸部を高ヒール用インソール外側縦アーチ用凸部とし、この高ヒール用インソール外側縦アーチ用凸部の頂点である高ヒール用インソール外側縦アーチ用凸部頂点の高さが、前記基準ヒール用インソールの外側縦アーチ用凸部の頂点である基準ヒール用インソール外側縦アーチ用凸部頂点及び前記低ヒール用インソールの外側縦アーチ用凸部の頂点である低ヒール用インソール外側縦アーチ用凸部頂点に対して最も高くされて、前記高ヒール用インソール外側縦アーチ用凸部を形成しており、
前記高ヒール用内側縦アーチ用凸部頂点は、前記基準ヒール用内側縦アーチ用凸部頂点に対して前側となる位置に形成され、
前記高ヒール用横アーチ用凸部頂点は、前記基準ヒール用横アーチ用凸部頂点に対して後側となる位置に形成され、
前記高ヒール用外側縦アーチ用凸部頂点は、前記基準ヒール用外側縦アーチ用凸部頂点に対して、前側となる位置に形成されていることを特徴とするヒール高別インソール。
【請求項２】
第２中足骨と第３中足骨との間に頂点を有する横アーチ用凸部、内側縦アーチ用凸部及び外側縦アーチ用凸部を有する女性靴のヒールの高さに応じて前記横アーチ用凸部、内側縦アーチ用凸部及び外側縦アーチ用凸部の各々の頂点の高さ及びその頂点の位置が相違させられて、該当の女性靴の中底に張り付けられて用いられるインソールであって、
前記女性靴は、所定の高さを基準高さとし、この基準高さの基準ヒールを有する基準ヒール女性靴又は前記基準ヒールよりも高い高ヒールを有する高ヒール女性靴若しくは、前記基準ヒールより低い低ヒールを有する低ヒール女性靴であり、
前記低ヒール女性靴に用いられるインソールを低ヒール用インソールとし、この低ヒール用インソールは、
前記横アーチ用凸部を低ヒール用インソール横アーチ用凸部とし、この低ヒール用インソール横アーチ用凸部の頂点である低ヒール用インソール横アーチ用凸部頂点の高さが、前記基準ヒール女性靴に用いられる基準ヒール用インソールの横アーチ用凸部の頂点である基準ヒール用インソール横アーチ用凸部頂点及び前記高ヒール女性靴に用いられる高ヒール用インソールの横アーチ用凸部の頂点である高ヒール用インソール横アーチ用凸部頂点）に対して最も高くされて、前記低ヒール用インソール横アーチ用凸部を形成しており、
前記内側縦アーチ用凸部を低ヒール用インソール内側縦アーチ用凸部とし、この低ヒール用インソール内側縦アーチ用凸部の頂点である低ヒール用インソール内側縦アーチ用凸部頂点の高さが、前記基準ヒール用インソールの内側縦アーチ用凸部の頂点である基準ヒール用インソール内側縦アーチ用凸部頂点及び前記高ヒール用インソールの内側縦アーチ用凸部の頂点である高ヒール用インソール内側縦アーチ用凸部頂点に対して最も低くされて、前記低ヒール用インソール内側縦アーチ用凸部を形成しており、
前記外側縦アーチ用凸部を低ヒール用インソール外側縦アーチ用凸部とし、この低ヒール用インソール外側縦アーチ用凸部の頂点である低ヒール用インソール外側縦アーチ用凸部頂点の高さが、前記基準ヒール用インソールの外側縦アーチ用凸部の頂点である基準ヒール用インソール外側縦アーチ用凸部頂点及び前記低ヒール用インソールの外側縦アーチ用凸部の頂点である低ヒール用インソール外側縦アーチ用凸部頂点に対して、最も低くされて前記低ヒール用インソール外側縦アーチ用凸部を形成しており、
前記低ヒール用内側縦アーチ用凸部頂点は、前記基準ヒール用内側縦アーチ用凸部頂点に対して、後側となる位置に形成され、
前記低ヒール用横アーチ用凸部頂点は、前記基準ヒール用横アーチ用凸部頂点に対して、前側となる位置に形成され、
前記低ヒール用外側縦アーチ用凸部頂点は、前記基準ヒール用外側縦アーチ用凸部頂点に対して、後側となる位置に形成されていることを特徴とするヒール高別インソール。
【請求項３】
第２中足骨と第３中足骨との間に頂点を有する横アーチ用凸部、内側縦アーチ用凸部及び外側縦アーチ用凸部を有する女性靴のヒールの高さに応じて前記横アーチ用凸部、内側縦アーチ用凸部及び外側縦アーチ用凸部の各々の頂点の高さ及びその頂点の位置が相違させられて、該当の女性靴の中底に張り付けられて用いられるインソールであって、
前記女性靴は、所定の高さを基準高さとし、この基準高さの基準ヒールを有する基準ヒール女性靴又は前記基準ヒールよりも高さが高くなる高ヒールを有する高ヒール女性靴若しくは、前記基準ヒールより低い低ヒールを有する低ヒール女性靴であり、
前記基準ヒール女性靴に用いられるインソールを基準ヒール用インソールとし、この基準ヒール用インソールは、
前記横アーチ用凸部を基準ヒール用インソール横アーチ用凸部とし、この基準ヒール用インソール横アーチ用凸部の頂点である基準ヒール用インソール横アーチ用凸部頂点の高さが、前記高ヒール女性靴に用いられる高ヒール用インソールの横アーチ用凸部の頂点である高ヒール用インソール横アーチ用凸部頂点と前記低ヒール女性靴に用いられる低ヒール用インソールの横アーチ用凸部の頂点である低ヒール用インソール横アーチ用凸部頂点との間となる高さにされて、前記基準ヒール用インソール横アーチ用凸部を形成しており、
前記内側縦アーチ用凸部を基準ヒール用インソール内側縦アーチ用凸部とし、この基準ヒール用インソール内側縦アーチ用凸部の頂点である基準ヒール用インソール内側縦アーチ用凸部頂点の高さが、前記高ヒール用インソールの内側縦アーチ用凸部の頂点である高ヒール用インソール内側縦アーチ用凸部頂点と前記低ヒール用インソールの内側縦アーチ用凸部の頂点である低ヒール用インソール内側縦アーチ用凸部頂点との間となる高にされて、前記基準ヒール用インソール内側縦アーチ用凸部を形成しており、
前記外側縦アーチ用凸部を基準ヒール用インソール外側縦アーチ用凸部とし、この基準ヒール用インソール外側縦アーチ用凸部の頂点である基準ヒール用インソール外側縦アーチ用凸部頂点の高さが、前記高ヒール用インソールの外側縦アーチ用凸部の頂点である高ヒール用インソール外側縦アーチ用凸部頂点と前記低ヒール用インソールの外側縦アーチ用凸部の頂点である低ヒール用インソール外側縦アーチ用凸部頂点との間となる高さにされて、前記基準ヒール用インソール外側縦アーチ用凸部を形成しており、
前記基準ヒール用内側縦アーチ用凸部頂点は、
前記高ヒール用内側縦アーチ用凸部頂点と基準ヒール用内側縦アーチ用凸部頂点との間に位置に形成され、
前記基準ヒール用横アーチ用凸部頂点は、前記高ヒール用横アーチ用凸部頂点と前記低ヒール用横アーチ用凸部頂点との間となる位置に形成され、
前記基準ヒール用外側縦アーチ用凸部頂点は、前記高ヒール用外側縦アーチ用凸部頂点と前記基準ヒール用外側縦アーチ用凸部頂点との間となる位置に形成されていることを特徴とするヒール高別インソール。
【請求項４】
足の母趾球及び前記内側縦アーチ用凸部の内側縦アーチ用凸部頂点を通る内側縦アーチライン上付近の、前記外側縦アーチ用凸部の外側縦アーチ用凸部頂点に略対向し、かつ前記内側縦アーチ用凸部頂点に対して後側となる位置に内側縦アーチライン後側位置点が形成され、
さらに、前記横アーチ用凸部の横アーチ用凸部頂点を通り、かつ内側縦アーチラインに平行な中央縦アーチライン上付近の前記内側縦アーチライン後側位置点に略対向する位置に中央縦アーチライン後側位置点が形成され、
外側縦アーチ用凸部付近の足外側エッジ面の縁点の高さは、前記内側縦アーチ用凸部頂点に対向する前記中央縦アーチライン上の位置付近における中央縦アーチライン中央位置点の高さ程度にされ、
前記内側縦アーチライン後側位置点の高さは、前記中央縦アーチライン中央位置点の高さ程度にされ、
前記中央縦アーチライン後側位置点の高さは、
前記外側縦アーチ用凸部における外側縦アーチ用凸部頂点の高さ程度にされ、さらに、第５中足骨対応領域は、厚みが後足部に対応するインソール後足部又はインソール前足部の厚み程度にされていることを特徴とする請求項１、２又は３記載のヒール高別インソール。
【請求項５】
先端線が、足の前足部の第１基節骨、第２基節骨、第３基節骨、第４基節骨、第５基節骨の各々の中央付近を通る線に対応する略三角形状線にされて、この線から中足部の裏面及び後足部の裏面を覆う形状にされていることを特徴とする請求項１、２又は３記載のヒール高別インソール。
【請求項６】
前記高ヒール用インソール、低ヒール用インソール及び基準ヒール用インソールは、材質がコルクゴム（ウレタン２０％程度含む）又は発泡ゴムであることを特徴とする請求項１、２又は３記載のヒール高別インソール。
【発明の詳細な説明】
【技術分野】
【０００１】
女性靴のヒール高さが変わっても足の３アーチを的確に保つことができると共に、足の第５中足骨骨低が痛くならないヒール高別インソールに関する。
【背景技術】
【０００２】
ハイヒールは足が美しく見えること、背が高くなるという利点がある。
【０００３】
一方、靴はヒールの高さによって足の前足部と足の踵部にかかる体重の割合が決定する。
【０００４】
一般に、前足部にかかる体重の割合（％）＝４．９３×ヒール高（ｃｍ）＋４１．２９
で示される。
【０００５】
また、荷重は、両足に荷重がかかる場合と片足に荷重がかかる場合とでは相違するが、片足での前足部（片足）にかかる重量（Ｋｇ）を一例として説明すると、
前足部（片足）にかかる重量（Ｋｇ）＝
（体重×４．９３×ヒール高（ｃｍ）＋４１．２９）÷５０
で示される。
【０００６】
生活様式で値は異なるが、例えば、図２５（ａ）に示すように、靴を履かない状態では足にかかる割合（％）は、前足部が４３％で踵部が５７％である。
【０００７】
これに対して、靴の踵が２ｃｍの場合は、図２５（ｂ）に示すように、足にかかる割合（％）は、前足部が５０％で踵部が５０％である（図２６（ａ）参照）。
【０００８】
また、靴の踵が４ｃｍの場合は、図２５（ｃ）に示すように、足にかかる割合（％）は、前足部が５７％で踵部が４３％である（図２５（ｂ）参照）。
【０００９】
靴の踵が６ｃｍの場合は、図２５（ｄ）に示すように、足にかかる割合（％）は、前足部が７５％で踵部が２５％である（図２６（ｃ）参照）。
【００１０】
靴の踵が１０ｃｍの場合は、図２５（ｅ）に示すように、足にかかる割合（％）は、前足部が９０％で踵部が１０％である（図２６（ｄ）参照）。
【００１１】
従って、図２６（ａ）〜（ｄ）に示すように、靴の踵が高くなるに従って、足裏と靴の中底とが接触する面積が小さくなる。
【００１２】
すなわち、靴の踵が高くなるに従って、足裏と靴の中底とが接触する面積が小さくなるので足への負担が増大する。これを解決するためのインソールとして例えば特許文献１が開示されている。
【００１３】
特許文献１のインソールは、足裏に作用する圧力分布を足圧分布測定システムによって測定し、この測定結果に基づいてハイヒール靴のインソールの曲率及び形状並びに厚みのインソールを設計して製造している。
【００１４】
特許文献１の段落００４３には、「インソールの各部分の厚さをヒールの高さＨ１に応じて設計する」と記載している。
【００１５】
また、段落[００６６]には、「・・特に、インソール１８，５２，６２の基準点Ｔ１，Ｔ２，Ｔ３の位置が、足圧分散効果を得るための重要な要素となる。なお、以下の説明で用いる基準点Ｔ１，Ｔ２，Ｔ３は、ハイヒール靴１０，５０，６０のそれぞれにおける測定点Ｐ２と一致する。」と記載されている。
【００１６】
また、段落[００６７]には、「図１９（Ａ）に示すように、「第１靴」としてのハイヒール靴１０における基準点Ｔ１の位置は、インソール１８の踵側の端縁１８ａから基準点Ｔ１までの地面Ｇに対して平行方向の第１前後方向距離Ｘ１と、地面Ｇから基準点Ｔ１までの第１上下方向距離Ｙ１とで特定することができる。
【００１７】
また、段落[００６９]には、「図１９（Ｃ）に示すように、「第２靴」としてのハイヒール靴６０における基準点Ｔ３の位置は、インソール６２の踵側の端縁６２ａから基準点Ｔ３までの地面Ｇに対して平行方向の第２前後方向距離Ｘ３と、地面Ｇから基準点Ｔ３までの第２上下方向距離Ｙ３とで特定することができる」
また、段落[００７０]には、「ハイヒール靴１０，５０，６０を製造する際には、まず、「第１靴」としてのハイヒール靴１０を、上記の「インソールの設計方法」に従って設計されたインソール１８を用いて設計し、基準点Ｔ１の位置を、実際に測定した値（実測値）に基づいて第１前後方向距離Ｘ１と第１上下方向距離Ｙ１とで特定する。」と記載されている。
【００１８】
また、段落[００７１]には、「続いて、図２０に示すように、「第２靴」としてのハイヒール靴５０，６０における第２前後方向距離Ｘ２，Ｘ３を、第１前後方向距離Ｘ１と同じに設計する。」と記載されている。
【００１９】
このＸ１、Ｘ２、Ｘ３は、図１９等の記載から靴の踵側の端縁１８ａからの水平方向の距離であり、Ｙ１、Ｙ２、Ｙ３は地面から垂直方向の距離である。
【００２０】
すなわち、特許文献１のインソールは、ヒールの高さが異なるハイヒール靴１０，５０，６０の各々の各点Ｐ１〜Ｐ６（図５参照）の位置（基準点）を前述の前後方向距離、上下方向距離とで特定している。この特定された位置（基準点）は、特許文献１の図１９、図２０からヒールの高さが異なるハイヒール靴１０，５０，６０であっても各々のインソールの後端からは全て同一距離である。
【００２１】
そして、ヒールの高さが異なるハイヒール靴１０，５０，６０の各々の各点Ｐ１〜Ｐ６（図５参照）の厚みは図２０からヒール高に応じて異ならせている。すなわち、インソールのＰ１〜Ｐ６とで決まる曲面の全体の高さをヒール高さに応じて変更している。つまり、ヒールが高い場合は、曲面の全体が高くなるようにされている。
【００２２】
さらに、特許文献１の段落[００７９]には「図２３（Ｂ），（Ｃ）に示すように、インソール７２は、発泡性合成樹脂およびエラストマーのような緩衝性および可撓性を有する材料（本実施形態ではウレタンゴム）からなり・・」と記載されている。
【００２３】
つまり、特許文献１は、柔らかなインソールであり、床に置いた場合は裏面が平になる。
【先行技術文献】
【特許文献】
【００２４】
【特許文献１】特開２０１２−６６０５０号公報
【発明の概要】
【発明が解決しようとする課題】
【００２５】
しかしながら、ハイヒール靴を履いて歩いた場合には、ヒールが高くなるほど足の縦アーチが高くなり、結果として足を内側に捻じるようにして歩く傾向になる。
【００２６】
ところが、特許文献１のインソールは、ヒールが高くなるにつれて各点Ｐ１〜Ｐ６で決まる曲面の全体を高くしている。
【００２８】
一方、靴のヒールの高さによって足裏の３アーチ（横アーチ、内側縦アーチ、外側縦アーチ）の高さが変わると共に、その頂点の位置も変わる。
【００２９】
しかしながら、特許文献１のインソールは、ヒール高さが変わってもインソールの後端からの各々の点（Ｐ１〜Ｐ６）は全て同一にしてヒール高さに応じて３アーチを保つための頂点の高さを変えるだけであるから、ヒール高さに応じた足の３アーチを的確にサポートをしていない。このため、体重の分散がうまくいかない。
【００３０】
また、特許文献１のインソールは柔らかなインソールであるから、靴の中底に装着しにくいと共に、足裏に対して適切な反発力を与えることができない。
【００３１】
本発明は上記の課題を鑑みてなされたものであり、ヒールの高さが増しても第５中足骨骨底が痛くならないと共に、ヒール高さが変わっても足の３アーチを的確にサポートし、かつ足裏に適度な反発力を与えることが可能となるヒール高別インソールを得ることを目的とする。
【課題を解決するための手段】
【００３２】
本発明に係るヒール高別インソールは、第２中足骨と第３中足骨との間に頂点を有する横アーチ用凸部、内側縦アーチ用凸部及び外側縦アーチ用凸部を有する女性靴のヒールの高さに応じて前記横アーチ用凸部、内側縦アーチ用凸部及び外側縦アーチ用凸部の各々の頂点の高さ及びその頂点の位置が相違させられて、該当の女性靴の中底に張り付けられて用いられるインソールであって、
前記女性靴は、所定の高さを基準高さとし、この基準高さの基準ヒールを有する基準ヒール女性靴又は前記基準ヒールよりも高い高ヒールを有する高ヒール女性靴若しくは、前記基準ヒールより低い低ヒールを有する低ヒール女性靴であり、
前記高ヒール女性靴に用いられるインソールを高ヒール用インソールとし、この高ヒール用インソールは、
前記横アーチ用凸部を高ヒール用インソール横アーチ用凸部とし、この高ヒール用インソール横アーチ用凸部の頂点である高ヒール用インソール横アーチ用凸部頂点の高さが、前記基準ヒール女性靴に用いられる基準ヒール用インソールの横アーチ用凸部の頂点である基準ヒール用インソール横アーチ用凸部頂点及び前記低ヒール女性靴に用いられる低ヒール用インソールの横アーチ用凸部の頂点である低ヒール用インソール横アーチ用凸部頂点に対して最も低くされて、前記高ヒール用インソール横アーチ用凸部を形成しており、
前記内側縦アーチ用凸部を高ヒール用インソール内側縦アーチ用凸部とし、この高ヒール用インソール内側縦アーチ用凸部の頂点である高ヒール用インソール内側縦アーチ用凸部頂点の高さが、前記基準ヒール用インソールの内側縦アーチ用凸部の頂点である基準ヒール用インソール内側縦アーチ用凸部頂点及び前記低ヒール用インソールの内側縦アーチ用凸部の頂点である低ヒール用インソール内側縦アーチ用凸部頂点に対して最も高くされて、前記高ヒール用インソール内側縦アーチ用凸部を形成しており、
前記外側縦アーチ用凸部を高ヒール用インソール外側縦アーチ用凸部とし、この高ヒール用インソール外側縦アーチ用凸部の頂点である高ヒール用インソール外側縦アーチ用凸部頂点の高さが、前記基準ヒール用インソールの外側縦アーチ用凸部の頂点である基準ヒール用インソール外側縦アーチ用凸部頂点及び前記低ヒール用インソールの外側縦アーチ用凸部の頂点である低ヒール用インソール外側縦アーチ用凸部頂点に対して最も高くされて、前記高ヒール用インソール外側縦アーチ用凸部を形成しており、
前記高ヒール用内側縦アーチ用凸部頂点は、前記基準ヒール用内側縦アーチ用凸部頂点に対して前側となる位置に形成され、
前記高ヒール用横アーチ用凸部頂点は、前記基準ヒール用横アーチ用凸部頂点に対して後側となる位置に形成され、
前記高ヒール用外側縦アーチ用凸部頂点は、前記基準ヒール用外側縦アーチ用凸部頂点に対して、前側となる位置に形成されていることを要旨とする。
また、本発明に係るヒール高別インソールは、第２中足骨と第３中足骨との間に頂点を有する横アーチ用凸部、内側縦アーチ用凸部及び外側縦アーチ用凸部を有する女性靴のヒールの高さに応じて前記横アーチ用凸部、内側縦アーチ用凸部及び外側縦アーチ用凸部の各々の頂点の高さ及びその頂点の位置が相違させられて、該当の女性靴の中底に張り付けられて用いられるインソールであって、
前記女性靴は、所定の高さを基準高さとし、この基準高さの基準ヒールを有する基準ヒール女性靴又は前記基準ヒールよりも高い高ヒールを有する高ヒール女性靴若しくは、前記基準ヒールより低い低ヒールを有する低ヒール女性靴であり、
前記低ヒール女性靴に用いられるインソールを低ヒール用インソールとし、この低ヒール用インソールは、
前記横アーチ用凸部を低ヒール用インソール横アーチ用凸部とし、この低ヒール用インソール横アーチ用凸部の頂点である低ヒール用インソール横アーチ用凸部頂点の高さが、前記基準ヒール女性靴に用いられる基準ヒール用インソールの横アーチ用凸部の頂点である基準ヒール用インソール横アーチ用凸部頂点及び前記高ヒール女性靴に用いられる高ヒール用インソールの横アーチ用凸部の頂点である高ヒール用インソール横アーチ用凸部頂点）に対して最も高くされて、前記低ヒール用インソール横アーチ用凸部を形成しており、
前記内側縦アーチ用凸部を低ヒール用インソール内側縦アーチ用凸部とし、この低ヒール用インソール内側縦アーチ用凸部の頂点である低ヒール用インソール内側縦アーチ用凸部頂点の高さが、前記基準ヒール用インソールの内側縦アーチ用凸部の頂点である基準ヒール用インソール内側縦アーチ用凸部頂点及び前記高ヒール用インソールの内側縦アーチ用凸部の頂点である高ヒール用インソール内側縦アーチ用凸部頂点に対して最も低くされて、前記低ヒール用インソール内側縦アーチ用凸部を形成しており、
前記外側縦アーチ用凸部を低ヒール用インソール外側縦アーチ用凸部とし、この低ヒール用インソール外側縦アーチ用凸部の頂点である低ヒール用インソール外側縦アーチ用凸部頂点の高さが、前記基準ヒール用インソールの外側縦アーチ用凸部の頂点である基準ヒール用インソール外側縦アーチ用凸部頂点及び前記低ヒール用インソールの外側縦アーチ用凸部の頂点である低ヒール用インソール外側縦アーチ用凸部頂点に対して、最も低くされて前記低ヒール用インソール外側縦アーチ用凸部を形成しており、
前記低ヒール用内側縦アーチ用凸部頂点は、前記基準ヒール用内側縦アーチ用凸部頂点に対して、後側となる位置に形成され、
前記低ヒール用横アーチ用凸部頂点は、前記基準ヒール用横アーチ用凸部頂点に対して、前側となる位置に形成され、
前記低ヒール用外側縦アーチ用凸部頂点は、前記基準ヒール用外側縦アーチ用凸部頂点に対して、後側となる位置に形成されていることを要旨とする。
さらに、本発明に係るヒール高別インソールは、第２中足骨と第３中足骨との間に頂点を有する横アーチ用凸部、内側縦アーチ用凸部及び外側縦アーチ用凸部を有する女性靴のヒールの高さに応じて前記横アーチ用凸部、内側縦アーチ用凸部及び外側縦アーチ用凸部の各々の頂点の高さ及びその頂点の位置が相違させられて、該当の女性靴の中底に張り付けられて用いられるインソールであって、
前記女性靴は、所定の高さを基準高さとし、この基準高さの基準ヒールを有する基準ヒール女性靴又は前記基準ヒールよりも高さが高くなる高ヒールを有する高ヒール女性靴若しくは、前記基準ヒールより低い低ヒールを有する低ヒール女性靴であり、
前記基準ヒール女性靴に用いられるインソールを基準ヒール用インソールとし、この基準ヒール用インソールは、
前記横アーチ用凸部を基準ヒール用インソール横アーチ用凸部とし、この基準ヒール用インソール横アーチ用凸部の頂点である基準ヒール用インソール横アーチ用凸部頂点の高さが、前記高ヒール女性靴に用いられる高ヒール用インソールの横アーチ用凸部の頂点である高ヒール用インソール横アーチ用凸部頂点と前記低ヒール女性靴に用いられる低ヒール用インソールの横アーチ用凸部の頂点である低ヒール用インソール横アーチ用凸部頂点との間となる高さにされて、前記基準ヒール用インソール横アーチ用凸部を形成しており、
前記内側縦アーチ用凸部を基準ヒール用インソール内側縦アーチ用凸部とし、この基準ヒール用インソール内側縦アーチ用凸部の頂点である基準ヒール用インソール内側縦アーチ用凸部頂点の高さが、前記高ヒール用インソールの内側縦アーチ用凸部の頂点である高ヒール用インソール内側縦アーチ用凸部頂点と前記低ヒール用インソールの内側縦アーチ用凸部の頂点である低ヒール用インソール内側縦アーチ用凸部頂点との間となる高にされて、前記基準ヒール用インソール内側縦アーチ用凸部を形成しており、
前記外側縦アーチ用凸部を基準ヒール用インソール外側縦アーチ用凸部とし、この基準ヒール用インソール外側縦アーチ用凸部の頂点である基準ヒール用インソール外側縦アーチ用凸部頂点の高さが、前記高ヒール用インソールの外側縦アーチ用凸部の頂点である高ヒール用インソール外側縦アーチ用凸部頂点と前記低ヒール用インソールの外側縦アーチ用凸部の頂点である低ヒール用インソール外側縦アーチ用凸部頂点との間となる高さにされて、前記基準ヒール用インソール外側縦アーチ用凸部を形成しており、
前記基準ヒール用内側縦アーチ用凸部頂点は、
前記高ヒール用内側縦アーチ用凸部頂点と基準ヒール用内側縦アーチ用凸部頂点との間に位置に形成され、
前記基準ヒール用横アーチ用凸部頂点は、前記高ヒール用横アーチ用凸部頂点と前記低ヒール用横アーチ用凸部頂点との間となる位置に形成され、
前記基準ヒール用外側縦アーチ用凸部頂点は、前記高ヒール用外側縦アーチ用凸部頂点と前記基準ヒール用外側縦アーチ用凸部頂点との間となる位置に形成されていることを要旨とする。
【発明の効果】
【００３３】
以上のように本発明のヒール高別インソールによれば、ヒールの高さが変わっても足の３アーチを的確にサポートし、かつ足裏に適度な反発力を与えることが可能となる。
【図面の簡単な説明】
【００３４】
【図１】本実施の形態のヒール高別インソール１００を女性靴に装着して足を女性靴に入れる場合の斜視図である。
【図２】基準ヒール用インソール１００Ａの表裏の形状を示す斜視図である。
【図３】図３は基準ヒール用インソール１００Ａを踵側、爪先側からみた場合の説明図である。
【図４】基準ヒール用インソール１００Ａの基準ヒール用インソール前足部１０１Ａの裏面を床に平に置いた場合の側面図である。
【図５】正常な足の足裏面を上から場合の説明図である。
【図６】基準ヒール用インソール１００Ａを取り付けた女性靴２００を履いた場合の上側から見たときの上面図である。
【図７】基準ヒール用インソール１００Ａを取り付けた女性靴２００を履いた場合に下側から見たときの下面図である。
【図８】本実施の形態の基準ヒール用インソール１００Ａの各切片の横断面を説明する説明図である。
【図９】基準ヒール用インソール１００Ａの各頂点の位置及び厚み（高さ）の寸法図である。
【図１０】主要な頂点を有する切片の断面図である。
【図１１】切片（８）の断面図である。
【図１２】低ヒール用インソール１００Ｃと高ヒール用インソール１００Ｂとの各頂点の違いの説明図である。
【図１３】前側横アーチラインＹａ上における各頂点の高さの違いを説明する断面図である。
【図１４】中央横アーチラインＹｂ上における各頂点の高さの違いを説明する断面図である。
【図１５】後側横アーチラインＹｃ上における各頂点の高さの違いを説明する断面図である。
【図１６】外側縦アーチ用凸部における各頂点の高さの違いを説明する断面図である。
【図１７】足裏の各部位ＱＰ１〜ＱＰ９を説明する説明図である。
【図１８】前側横アーチラインＹａにおける各部位の測定結果の説明図である。
【図１９】中央横アーチラインＹｂにおける各部位の測定結果の説明図である。
【図２０】後側横アーチラインＹｃの各部位の測定結果の説明図である。
【図２１】本実施の形態のヒール高別インソールを用いた場合の効果を説明する説明図である。
【図２２】ヒール高別インソールを用いた場合の荷重の割合効果を示す。
【図２３】他の実施の形態のヒール高別インソールの断面図である。
【図２４】表皮一体型のヒール高別インソールの説明図である。
【図２５】従来の靴の踵の高さによって足の前足部と足の踵部にかかる荷重の割合を説明する説明図である。
【図２６】従来の靴の踵の高さによって足裏と靴の中底とが接触する面積の割合を説明する説明図である。
【発明を実施するための形態】
【００３５】
本実施の形態は、ヒールの高さに応じて内側縦アーチ用の凸部頂点、横アーチ用の凸部頂点、外側縦アーチ用の凸部頂点の位置及び高さを変えて、かつ第５中足骨が当該ヒール高別インソールに強く接しないようにしている。
【００３６】
また、ヒール高が１ｃｍ〜１９ｃｍ等の女性靴に適用できるが、本実施の形態においては、ヒールの高さは６ｃｍ用のインソールを基準とし、この６ｃｍヒール用のインソールに対する３ｃｍヒール用のインソールと９ｃｍヒール用のインソールとを比較して説明する。
【００３７】
また、ヒール高別インソールとは、６ｃｍヒール用のインソールと３ｃｍヒール用のインソールと９ｃｍヒール用のインソールとを総称したものである。
【００３８】
また、靴のサイズは１９ｃｍ〜２７ｃｍ等が好ましいが、２３ｃｍのタイプの女性靴を基準にしたヒール高別インソールとして説明する。
【００３９】
前述のヒール高別インソールは、６ｃｍヒール用には英文字「Ａ」、９ｃｍヒール用には英文字「Ｂ」、３ｃｍヒール用には英文字「Ｃ」を付加して説明し、英文字を付加していない場合は、６ｃｍヒール用、９ｃｍヒール用、３ｃｍヒール用を総称した説明とする。
【００４０】
以下に図を用いて実施の形態を説明する。
【００４１】
図１は本実施の形態のヒール高別インソール１００を女性靴に装着して足を女性靴に入れる場合の斜視図である。
【００４２】
図１においては、ヒールの高さが３ｃｍ、６ｃｍ、９ｃｍの場合の各凸部の頂点の位置を示す。これらの頂点は、ヒール高さに応じて位置及び高さが異なるが図１においては、内側縦アーチ用の凸部、横アーチ用の凸部にのみに３ｃｍ、６ｃｍ、９ｃｍの場合における頂点位置を示す。
【００４３】
また、ヒールの高さが３ｃｍ、６ｃｍ、９ｃｍの場合は、当該ヒール高別インソールの縦寸法が多少異なるが図１においては図示しない。また、図１においては、靴のサイズは１９ｃｍ〜２７ｃｍ等であるが単に女性靴２００とし、足も大きさがことなるが単に足３００として説明する。
【００４４】
前述の女性靴２００は、本底２２０、ヒール２３０（３ｃｍヒール、６ｃｍヒール又は９ｃｍヒール）等からなる。
【００４５】
また、ヒールの高さとは本底２２０の踵部の裏面からヒール端までの高さをいうものとする。
【００４６】
図１に示すヒール高別インソール１００は材質がコルクゴム（ウレタン２０％程度含む）であり、表面はガーゼ１８０が圧着されている。また、女性靴２００の中底２１０の表面に張り付けられて表面シートが張り付けられるが図１においては図示しない。
【００４７】
本実施の形態のヒール高別インソール１００の説明の前に足３００の骨格について図を用いて説明する。
【００４８】
足３００は、図１に示すように、前足部３１０と、中足部３４０と、後足部３６０とから構成されている。
【００４９】
[足骨格の説明]
なお、実施の形態では、足の骨格は解剖学的な名称を用いないで、義肢装具等の製造業界で使用している名称で説明する。
【００５０】
前足部３１０の骨格は、第１末節骨３１２と第２末節骨３１３と第３末節骨３１４と第４末節骨３１５と第５末節骨３１６と第２中節骨３２１と第３中節骨３２２と第４中節骨３２３と第５中節骨３２４と第１基節骨３３２と第２基節骨３３３と第３基節骨３３４と第４基節骨３３５と第５基節骨３３６とからなる範囲をいう。
【００５１】
中足部３４０は、第１中足骨３４２と第２中足骨３４３と第３中足骨３４４と第４中足骨３４５と第５中足骨３４６と第１楔状骨３５２と第２楔状骨３５３と第３楔状骨３５４と立方骨３５６と舟状骨３５７とを含む範囲をいう。また、後足部３６０は、距骨３６２と踵骨３６３とからなる範囲である。
【００５２】
また、足３００というのは図１に示すように、３アーチＦＡ（横アーチＦＡ１、内側縦アーチＦＡ２、外側縦アーチＦＡ３）を維持することが重要である。横アーチＦＡ１が崩れてくると、開帳足、外反母趾になる傾向にある。また、外側縦アーチＦＡ２が崩れてくると、姿勢が崩れる傾向にある。内側縦アーチＦＡ３が崩れてくると偏平足になる傾向にある。
【００５３】
[ヒール高別インソールの概略]
このため、本実施の形態のヒール高別インソール１００は、図１に示すように、３アーチＦＡを形成させるための内側縦アーチ用凸部１４０と、横アーチ用凸部１５０と、外側縦アーチ用凸部１６０とを表側に形成している。また、本実施の形態のヒール高別インソール１００は、材質が発泡ゴムであり、硬度が４５〜５５度（ＪＩＳ規格のＡ型硬度計で計測）にされている。
【００５４】
前述の内側縦アーチ用凸部１４０と横アーチ用凸部１５０とは滑らかな曲面で繋がっている。本実施の形態においては、この内側縦アーチ用凸部１４０と横アーチ用凸部１５０とを総称して土踏まず凸部領域１７０と称する。
【００５５】
そして、本実施の形態のヒール高別インソール１００は、図１に示すように、先端線Ｌａが足３００の前足部３１０における第１基節骨３３２の中央付近と第２基節骨３３３の中央付近と第３基節骨３３４の中央付近と第４基節骨３３５の中央付近と第５基節骨３３６の中央付近を通る線Ｌｉ（三角形状線）の付近に位置するように形成され、この前足部３１０の線Ｌｉから後足部３６０を覆う形状にされている。
【００５６】
そして、前述の土踏まず凸部領域１７０及び外側縦アーチ用凸部１６０における内側縦アーチ用の凸部頂点、横アーチ用の凸部頂点、外側縦アーチ用の凸部頂点の各々の位置、高さはヒール高さに応じて異なる。これらの位置及び高さについては詳細に後述する。
【００５７】
図１においては、１個のヒール高別インソール１００を用いてこれらの頂点の位置の違いを示している。
【００５８】
図１には、内側縦アーチライン前側位置点Ｐ１（☆）と、横アーチ用凸部頂点Ｐ２（Ｐ２Ａ、Ｐ２Ｂ、Ｐ２Ｃ）と、外側縦アーチライン前側位置点Ｐ３（☆）と、内側縦アーチ用凸部頂点Ｐ４（Ｐ４Ａ、Ｐ４Ｂ、Ｐ４Ｃ）と、中央縦アーチライン中央位置点Ｐ５（☆）と、外側縦アーチライン中央位置点Ｐ６（☆）と、内側縦アーチライン後側位置点Ｐ７（☆）と、中央縦アーチライン後側位置点Ｐ８（☆）と、外側縦アーチ用凸部頂点Ｐ９とを示している。
【００５９】
前述の内側縦アーチ用凸部頂点Ｐ４（Ｐ４Ａ、Ｐ４Ｂ、Ｐ４Ｃ）というのは、内側縦アーチライン前側位置点Ｐ１（☆）と内側縦アーチライン後側位置点Ｐ７（☆）と内側縦アーチ用凸部頂点Ｐ４とを通る内側縦アーチラインＥ上の内側縦アーチ用凸部１４０における最大の高さとなる頂点である。
【００６０】
また、横アーチ用凸部頂点Ｐ２というのは、内側縦アーチライン前側位置点Ｐ１（☆）と横アーチ用凸部頂点Ｐ２と外側縦アーチライン前側位置点Ｐ３（☆）とを通る横アーチライン（図１においては図示せず）上の横アーチ用凸部１５０における最大頂点である。
【００６１】
さらに、外側縦アーチ用凸部頂点Ｐ９というのは、外側縦アーチライン前側位置点Ｐ３（☆）と外側縦アーチライン中央位置点Ｐ６（☆）と外側縦アーチ用凸部頂点Ｐ９を通る外側縦アーチラインＪ上の外側縦アーチ用凸部１６０における最大頂点である。
【００６２】
位置点というのは、これらの頂点とは高さが違うことを示すために位置点という表現を用いている。
【００６３】
また、横アーチ用凸部頂点Ｐ２と、中央縦アーチライン中央位置点Ｐ５と、中央縦アーチライン後側位置点Ｐ８とを通り、かつ内側縦アーチラインＥ、外側縦アーチラインＪに対して平行なラインを中央縦アーチラインＨと称する。これらのラインは、多少ずれていてもよい。
【００６４】
（横アーチ用凸部１５０の頂点の説明）
横アーチ用凸部１５０には、横アーチ用凸部頂点Ｐ２として、６ｃｍヒール用の基準ヒール用横アーチ用凸部頂点Ｐ２Ａ（●）と、９ｃｍヒール用の高ヒール用横アーチ用凸部頂点Ｐ２Ｂ（◎）と、３ｃｍヒール用の低ヒール用横アーチ用凸部頂点Ｐ２Ｃ（○）とを示している。
【００６５】
すなわち、図１に示すように、横アーチ用凸部頂点Ｐ２は、９ｃｍ用ヒールの場合のインソールの場合は、基準ヒール用横アーチ用凸部頂点Ｐ２Ａ（●））に対して、後側となる位置に高ヒール用横アーチ用凸部頂点Ｐ２Ｂ（◎）が形成され、３ｃｍ用ヒールの場合のインソールにおいては基準ヒール用横アーチ用凸部頂点Ｐ２Ａ（●））に対して前側に位置するように形成されている。
【００６６】
（内側縦アーチ用凸部１４０の頂点の説明）
また、内側縦アーチ用凸部１４０には、内側縦アーチ用凸部頂点Ｐ４として、６ｃｍヒール用の基準ヒール用内側縦アーチ用凸部頂点Ｐ４Ａ（●）と、９ｃｍヒール用の高ヒール用内側縦アーチ用凸部頂点Ｐ４Ｂ（◎）と、３ｃｍヒール用の低ヒール用内側縦アーチ用凸部頂点Ｐ４Ｃ（○）とを示している。
【００６７】
すなわち、図１に示すように、内側縦アーチ用凸部頂点Ｐ４は、９ｃｍ用ヒールの場合のインソールにおいては、６ｃｍヒール用のインソールの場合の基準ヒール用内側縦アーチ用凸部頂点Ｐ４Ａに対して前側となる位置に高ヒール用内側縦アーチ用凸部頂点Ｐ４Ｂが形成され、３ｃｍ用ヒールの場合のインソールの場合は、その低ヒール用内側縦アーチ用凸部頂点Ｐ４Ｃ（○）が６ｃｍヒール用のインソールの場合の基準ヒール用内側縦アーチ用凸部頂点Ｐ４Ａに対して後側に位置するように形成されている。
【００６８】
（各位置点の説明）
また、内側縦アーチライン前側位置点Ｐ１（☆）と内側縦アーチ用凸部頂点Ｐ４とを通る内側縦アーチラインＥには内側縦アーチ用凸部頂点Ｐ４の後側に内側縦アーチライン後側位置点Ｐ７（☆）が存在している。
【００６９】
また、横アーチ用凸部頂点Ｐ２を通る中央縦アーチラインＨには、中央縦アーチライン中央位置点Ｐ５（☆）と中央縦アーチライン後側位置点Ｐ８（☆）とが存在している。
【００７０】
前述の内側縦アーチライン前側位置点Ｐ１（☆）、外側縦アーチライン前側位置点Ｐ３（☆）、中央縦アーチライン中央位置点Ｐ５（☆）、外側縦アーチライン中央位置点Ｐ６（☆）、内側縦アーチライン後側位置点Ｐ７（☆）、中央縦アーチライン後側位置点Ｐ８（☆）、外側縦アーチ用凸部頂点Ｐ９は、ヒール高別インソール１００（３ｃｍ、６ｃｍ又は９ｃｍ用）によって、その位置及び高さが異なるが図１においては図示しない。
【００７１】
なお、内側縦アーチライン前側位置点Ｐ１（☆）、外側縦アーチライン前側位置点Ｐ３（☆）は、インソールの種類が異なっても各々の位置点は、横アーチ用凸部頂点Ｐ２と同様であり、外側縦アーチ用凸部頂点Ｐ９は、インソールの種類が異なっても各々の位置点は、内側縦アーチ用凸部頂点Ｐ４と同様である。
【００７２】
また、外側縦アーチライン中央位置点Ｐ６（☆）、内側縦アーチライン後側位置点Ｐ７（☆）、中央縦アーチライン中央位置点Ｐ５（☆）、中央縦アーチライン後側位置点Ｐ８（☆）は、ヒール高別インソール１００（３ｃｍ、６ｃｍ又は９ｃｍ用）によって、その位置及び高さが異なるが各々の位置点は、内側縦アーチ用凸部頂点Ｐ４と同様である。
【００７３】
（第５中足骨対応領域１４６の説明）
一方、当該インソールには、図１に示すように、第５中足骨３４６に対応する第５中足骨対応領域１４６が形成されている。
この第５中足骨対応領域１４６の厚みは、ヒール２３０の高さが変わっても厚みがインソール後足部１０５（１．０ｍｍ〜２．０ｍｍ）又はインソール前足部１０１（１．０ｍｍ〜２．０ｍｍ）の厚み程度にされており、第５中足骨３４６の骨底が当該インソールの表に強く当たらないようにされている。
【００７４】
上記の各々の頂点、位置点については図を用いて詳細に後述する。
【００７５】
＜実施例１＞
実施例１として６ｃｍヒール用を例にして説明する。なお、第５中足骨対応領域１４６、中央縦アーチラインＨ、内側縦アーチラインＥ、外側縦アーチラインＪを除いて６ｃｍヒール用は英文字「Ａ」を付加して説明する。
【００７６】
また、６ｃｍヒール用のインソールは、基準ヒール用インソール１００Ａとして説明する。また、後述する９ｃｍヒール用のインソールは高ヒール用インソール１００Ｂ、３ｃｍヒール用のインソールは低ヒール用インソール１００Ｃとして説明する。
【００７７】
図２は基準ヒール用インソール１００Ａの表裏の形状を示す斜視図である。図２（ａ）に表側を示し、図２（ｂ）に裏側を示している。
【００７８】
図３は基準ヒール用インソール１００Ａを踵側、爪先側からみた場合の説明図である。図３（ａ）は図１及び図２のａ矢視図である。図３（ｂ）は図１及び図２のｂ矢視図である。
【００７９】
図２（ａ）に示すように、基準ヒール用インソール１００Ａにおける第５中足骨対応領域１４６は、基準ヒール用内側縦アーチ用凸部１４０Ａ、基準ヒール用横アーチ用凸部１５０Ａ（しずく型）及び基準ヒール用外側縦アーチ用凸部１６０Ａに対して最も低くなるようにされている。厚みは、例えば、基準ヒール用インソール前足部１０１Ａ又は基準ヒール用インソール後足部１０５Ａの厚み程度にされている。
【００８０】
また、図２（ｂ）に示すように、基準ヒール用インソール１００Ａの裏面は、足を床（女性靴２００の中底２１０でもよい）に置いたときに足裏の後足部３６０と中足部３４０とがその床面に接触したときの面に対応する形状（以下インソール裏中足部−後足部領域面１００Ａａという）にされ、このインソール裏中足部−後足部領域面１００Ａａの前足部３１０に対応する面（以下インソール裏前足部面領域１００Ａｂという）が表側に反っているような形状にされている。
【００８１】
また、インソール裏中足部−後足部領域面１００Ａａの中足部３４０に対応する領域は表側が出るようにするために湾曲している。
【００８２】
そして、インソール裏中足部−後足部領域面１００Ａａの足の外側には、足外側エッジ面１７５Ａが形成されている。また、足の内側には、足内側側面エッジ面１８６Ａが形成されている。
【００８３】
前述の足外側エッジ面１７５Ａの横幅は５．０ｍｍ程度（４．５〜５．５ｍｍ：好ましくは５．０ｍｍ）にされ、足内側側面エッジ面１８６Ａの横幅は２２．６ｍｍ程度（２２．１〜２３．１ｍｍ：好ましくは２２．６ｍｍ）にされている。
【００８４】
また、図３（ａ）及び図３（ｂ）に示すように、基準ヒール用インソール１００Ａは、図１のａ矢視から見た場合は、足の内側となる個所が大きく盛り上がり、前側がやや跳ね上がっている。
【００８５】
そして、基準ヒール用インソール１００Ａは、材質が発泡ゴムであり、硬度が４５〜５５度（ＪＩＳ規格のＡ型硬度計で計測）にされているので、基準ヒール用インソール前足部１０１Ａの裏面を床に平に置いた場合は、図４に示すように形状を維持したままで後段が所定角度で立ち上がる。このため、女性靴２００に装着しやすいと共に、足裏に対して所定の反発力を与えることができる。
【００８６】
[足の骨格と各頂点の説明]
図５は正常な足の足裏面を上から場合の説明図である。図６は基準ヒール用インソール１００Ａを取り付けた女性靴２００を履いた場合に上側から見たときの上面図である。但し、図５及び図６においては足の骨格も示して説明する。但し、図５においては、インソールの種別を示す英文字は用いないで説明する。
【００８７】
図５に示すように、足裏には、足を床においたときに床に接する足裏面（以下接触足裏面Ｑａ（斜線領域）と土踏まず面Ｑｂ（点領域）とが存在する。
【００８８】
この土踏まず面Ｑｂ（点領域）における第１中足骨３４２と第１楔状骨３５２とが接する足の内側付近の点を足裏内側縦アーチ用凸部頂点部位ＱＰ４（□）と称する。
【００８９】
そして、母趾球Ｇａの後ろ付近（第１中足骨３４２の骨頭の後側）である足裏内側縦アーチライン前側位置点ＱＰ１（□）と足裏内側縦アーチ用凸部頂点部位ＱＰ４と舟状骨３５７のやや前側付近の足の外側となる付近である足裏内側縦アーチライン後側位置点部位ＱＰ７（□）とを通るラインを足裏側内側縦アーチラインＱＥと称している。
【００９０】
また、第２中足骨３４３と第３中足骨３４４との間の点を足裏横アーチ用凸部頂点部位ＱＰ２と称し、前述の足裏内側縦アーチ用凸部頂点部位ＱＰ４に対向する第２中足骨３４３の骨底と第３中足骨３４４の骨底とが接する付近を足裏中央縦アーチライン中央位置点部位ＱＰ５と称する。この足裏中央縦アーチライン中央位置点部位ＱＰ５と足裏横アーチ用凸部頂点部位ＱＰ２とを通るラインを足裏側中央縦アーチラインＱＨと称する。
【００９１】
この足裏側中央縦アーチラインＱＨにおける足裏内側縦アーチライン後側位置点部位ＱＰ７に対向する部位を足裏中央縦アーチライン後側位置点部位ＱＰ８と称する。
【００９２】
さらに、踵骨３６３と立方骨３５６とが接触する足外側の点を足裏外側縦アーチ用凸部頂点部位ＱＰ９と称し、小趾球Ｇｂの後ろ付近（第５中足骨３４６の骨頭後ろ付近）を足裏外側縦アーチライン前側位置点部位ＱＰ３と称する。
【００９３】
そして、この足裏外側縦アーチライン前側位置点部位ＱＰ３と足裏外側縦アーチ用凸部頂点部位ＱＰ９とを通るラインを足裏外側縦アーチラインＱＪと称する。
【００９４】
この足裏外側縦アーチラインＱＪにおける足裏中央縦アーチライン中央位置点部位ＱＰ５に対向する部位を足裏外側縦アーチライン中央位置点部位ＱＰ６と称する。
【００９５】
さらに、図５に示すように足の横アーチには、前側横アーチＦＡ１ａと中央横アーチＦＡ１Ｂと後側横アーチＦＡ１Ｃとがある。
【００９６】
前側横アーチＦＡ１ａは、足裏内側縦アーチライン前側位置点ＱＰ１（□）と足裏横アーチ用凸部頂点部位ＱＰ２と足裏外側縦アーチライン前側位置点部位ＱＰ３とを通るラインである。
【００９７】
中央横アーチＦＡ１Ｂは、足裏内側縦アーチ用凸部頂点部位ＱＰ４（□）と、足裏中央縦アーチライン中央位置点部位ＱＰ５と、足裏外側縦アーチライン中央位置点部位ＱＰ６とを通るラインである。
【００９８】
後側横アーチＦＡ１Ｃは、足裏内側縦アーチライン後側位置点部位ＱＰ７と足裏中央縦アーチライン後側位置点部位ＱＰ８と、足裏外側縦アーチ用凸部頂点部位ＱＰ９とを通るラインである。
【００９９】
そして、図６に示すように、基準ヒール用インソール１００Ａは、図５の足裏の各部位（ＱＰ１〜ＱＰ９）に対応する位置に上記の各頂点（ＡＰ１〜ＡＰ９）を形成している。
【０１００】
図６においては、前側横アーチＦＡ１ａに対応するラインを前側横アーチラインＹａと称し、中央横アーチＦＡ１Ｂに対応するラインを中央横アーチラインＹｂと称し、後側横アーチＦＡ１Ｃに対応するラインを後側横アーチラインＹｃと称する。
【０１０１】
一方、図７に示すように、基準ヒール用インソール１００Ａの裏面には、斜めに足内側側面エッジ面１８６Ａと、足外側エッジ面１７５Ａが形成されている。つまり、女性靴２００の靴アッパーを容易に巻き込むことができる形状にされている。
【０１０２】
[各頂点の厚みと位置の詳細説明]
図８は本実施の形態の基準ヒール用インソール１００Ａの各切片の横断面を説明する説明図である。
【０１０３】
図８（ａ）には基準ヒール用インソール１００Ａの上面図を示し、１８個の切片で切断して説明することを示している。
【０１０４】
図８（ｂ）に示すように、切片（１８）、切片（１７）及び切片（１６）の一部は基準ヒール用インソール前足部１０１Ａに対応し、切片（１６）〜切片（９）の一部（前側）までの範囲は中足部３４０に対応し、切片（９）の一部（後側）は後足部３６０に対応する。
【０１０５】
図８（ａ）に示すように、切片（１４）には、基準ヒール用内側縦アーチライン前側位置点Ｐ１Ａ（▲）と、基準ヒール用横アーチ用凸部頂点Ｐ２Ａ（●）と外側縦アーチライン前側位置点Ｐ３（▲）とが存在している。
【０１０６】
また、切片（１２）には、基準ヒール用内側縦アーチ用凸部頂点Ｐ４Ａと、基準ヒール用中央縦アーチライン中央位置点Ｐ５Ａ（▲）と、基準ヒール用外側縦アーチライン中央位置点Ｐ６Ａ（▲）が存在している。
【０１０７】
また、切片（１０）には、基準ヒール用内側縦アーチライン後側位置点Ｐ７Ａ（▲）と、基準ヒール用中央縦アーチライン後側位置点Ｐ８Ａ（▲）とが存在することを示す。また、切片（８）には基準ヒール用外側縦アーチ用凸部頂点Ｐ９Ａが存在している。
【０１０８】
また、図８（ｂ）は各切片を並べた断面図である。図８（ｂ）においては各々の切片の厚みと、基準ヒール用横アーチ用凸部頂点Ｐ２Ａ、基準ヒール用内側縦アーチ用凸部頂点Ｐ４Ａ、基準ヒール用中央縦アーチライン後側位置点Ｐ８Ａ等を示している。
【０１０９】
図８（ｂ）に示すように、基準ヒール用インソール前足部１０１Ａは切片（１８）、切片（１７）に対応する。この切片（１８）は１ｍｍ程度、切片（１７）は２．０ｍｍ程度にされている。
【０１１０】
図９は基準ヒール用インソール１００Ａの各頂点の位置及び厚み（高さ）の寸法図である。図９においては基準ヒール用インソール１００Ａを水平な床に置いている。但し、図８、図９及び図１０においては長さの単位（ｍｍ）について図に示さない。
【０１１１】
前述の床の水平線は直線Ｒｉで示している。この直線Ｒｉは、図９（ｂ）に示すように、基準ヒール用横アーチ用凸部頂点Ｐ２Ａの直下の裏側の点Ｒａを通り、かつ中央縦アーチラインＨに平行である。
【０１１２】
図９（ａ）には基準ヒール用インソール１００Ａを足の内側となる方向から見た場合の側面図を示し、図９（ｂ）には図８に示す基準ヒール用インソール１００Ａのａ―ａ断面を示し、図９（ｃ）には図８に示す基準ヒール用インソール１００Ａを足の外側となる方向から見た場合の側面図を示す。
【０１１３】
図１０は主要な頂点を有する切片の断面図である。図１０（ａ）は切片（１４）の断面であり、図１０（ｂ）は切片（１２）の断面であり、図１０（ｃ）は切片（１１）の断面図であり、図１０（ｄ）は切片（１０）の断面図である。また、図１１は切片（８）の断面図である。
【０１１４】
図９（ａ）に示すように、基準ヒール用インソール１００Ａは、基準ヒール用インソール後端１０３Ａと基準ヒール用インソール先端１０１Ａａ（Ｌａに対応する）との間の全長が１７２．５ｍｍ（１７２．０〜１７３．０ｍｍ：好ましくは１７２．５ｍｍ）である。
【０１１５】
そして、図９（ｃ）に示すように横幅が最大７０．４ｍｍ（６９．９〜７０．９ｍｍ：好ましくは７０．４ｍｍ）にされている。
【０１１６】
（Ｐ１Ａ、Ｐ２Ａ、Ｐ３Ａの位置）
図９（ｃ）に示すように、基準ヒール用内側縦アーチライン前側位置点Ｐ１Ａ及び基準ヒール用横アーチ用凸部頂点Ｐ２Ａ並びに基準ヒール用外側縦アーチライン前側位置点Ｐ３Ａは、基準ヒール用インソール後端１０３Ａから１２３．５ｍｍ（１２３．０〜１２４．０ｍｍ：好ましくは１２５．０ｍｍ）に形成されている。つまり、基準ヒール用インソール後端１０３Ａからは、６ｃｍヒールの２倍程度の位置となる。
【０１１７】
（Ｐ４Ａ、Ｐ５Ａ、Ｐ６Ａの位置）
図９（ｃ）に示すように、基準ヒール用内側縦アーチ用凸部頂点Ｐ４Ａ及び基準ヒール用中央縦アーチライン中央位置点Ｐ５Ａ並びに基準ヒール用外側縦アーチライン中央位置点Ｐ６Ａは、基準ヒール用インソール後端１０３Ａから９０ｍｍ（８９．５〜９０．２ｍ：好ましくは９０ｍｍ）に形成されている。つまり、基準ヒール用インソール後端１０３Ａからは、６ｃｍヒールの１．５倍程度の位置となる。
【０１１８】
（Ｐ７Ａ、Ｐ８Ａの位置）
図９（ｃ）に示すように、基準ヒール用内側縦アーチライン後側位置点Ｐ７Ａ及び基準ヒール用中央縦アーチライン後側位置点Ｐ８Ａは、基準ヒール用インソール後端１０３Ａから７１．０ｍｍ（７０．５〜７１．５ｍ：好ましくは７０．０ｍｍ）に形成されている。つまり、基準ヒール用インソール後端１０３Ａからは、６ｃｍヒールの１．１倍程度の位置となる。
【０１１９】
（Ｐ９Ａの説明）
図９（ｃ）に示すように、基準ヒール用外側縦アーチ用凸部頂点Ｐ９Ａの位置は、基準ヒール用インソール後端１０３Ａから６５．５ｍｍ（６４．０〜６６．０ｍｍ：好ましくは６５．０ｍｍ）に形成されている。
【０１２０】
すなわち、基準ヒール用外側縦アーチ用凸部頂点Ｐ９Ａと基準ヒール用内側縦アーチライン後側位置点Ｐ７Ａ及び基準ヒール用中央縦アーチライン後側位置点Ｐ８Ａとの差は、６．０ｍｍ程度にされている。
【０１２１】
（各エッジ点の説明）
そして、この基準ヒール用内側縦アーチ用凸部頂点Ｐ４Ａから足内側側面エッジ面１８６Ａに対して直角に線を引いてその足内側側面エッジ面１８６Ａの縁に交わる点（内側縦アーチ頂点対向内側側面エッジ点１８６Ａａ）までは、１１．５ｍｍ程度（１１．０〜１２．０ｍｍ：好ましくは１１．５ｍｍ）にされている。
【０１２２】
また、内側縦アーチ頂点対向内側側面エッジ点１８６Ａａの高さは、基準ヒール用インソール１００Ａを床に置いた場合は、図９（ａ）に示すように床（Ｒｉ）から１８．０ｍｍ程度（１７．５〜１８．５ｍｍ：好ましくは１８．０ｍｍ）にされている。
【０１２３】
また、基準ヒール用内側縦アーチ用凸部頂点Ｐ４Ａから足外側エッジ面１７５Ａに対して直角に線を引いてその足外側エッジ面１７５Ａの縁に交わる点（内側縦アーチ頂点対向外側側面エッジ点１７５Ａａ）までは、図９（ｃ）に示すように、４９．２ｍｍ程度（４９．０〜４９．４ｍｍ：好ましくは４９．２ｍｍ）にされている。
【０１２４】
そして、内側縦アーチ頂点対向外側側面エッジ点１７５Ａａの高さは、図９（ｄ）に示すように、床（Ｒｉ）から１５．０ｍｍ程度（１４．５〜１５．５ｍｍ：好ましくは１５．０ｍｍ）にされている。
【０１２５】
また、基準ヒール用外側縦アーチ用凸部１６０Ａの基準ヒール用外側縦アーチ用凸部頂点Ｐ９Ａに対向する足外側エッジ面１７５Ａの点を縁点１７５Ａｃと称する。
この縁点１７５Ａｃまでの床（Ｒｉ）からの高さは、図９（ｄ）に示すように、１６．０ｍｍ程度（１５．５〜１６．５ｍｍ：好ましくは１６．０ｍｍ）にされている。
【０１２６】
（各頂点の高さ厚みの説明）
また、基準ヒール用内側縦アーチ用凸部頂点Ｐ４Ａは、図８（ａ）、図８（ｂ）、図１０（ｂ）に示すように切片（１２）に存在している。
図８（ａ）においては、基準ヒール用内側縦アーチ用凸部頂点Ｐ４Ａは、第１楔状骨３５２の骨頭と第１中足骨３４２の骨底とが接続する付近に形成されている。
【０１２７】
また、切片（１２）における基準ヒール用内側縦アーチ用凸部頂点Ｐ４Ａの高さは、基準ヒール用インソール１００Ａを床に置いた場合は、図９（ｄ）及び図１０（ｂ）に示すように、１８．０ｍｍ程度（１７．５〜１８．５ｍｍ：好ましくは１８．０ｍｍ）にされている。
【０１２８】
また、内側縦アーチラインＥ上に位置する基準ヒール用内側縦アーチライン後側位置点Ｐ７Ａ及び中央縦アーチラインＨ上に位置する基準ヒール用中央縦アーチライン後側位置点Ｐ８Ａは、図９（ｃ）に示すように、基準ヒール用インソール後端１０３Ａから７１．０ｍｍ（７０．５〜７１．５ｍ：好ましくは７１．０ｍｍ）に位置するように形成されている。
【０１２９】
この基準ヒール用内側縦アーチライン後側位置点Ｐ７Ａは、図８（ａ）、図８（ｂ）、図１０（ｄ）に示すように切片（１０）に位置している。
【０１３０】
そして、切片（１０）における基準ヒール用内側縦アーチライン後側位置点Ｐ７Ａの高さは、基準ヒール用インソール１００Ａを床（Ｒｉ）に置いた場合は、図１０（ｄ）に示すように、１６．０ｍｍ程度（１５．５〜１６．５ｍｍ：好ましくは１６．０ｍｍ）にされている。
【０１３１】
また、図１０（ｄ）に示すように、この基準ヒール用内側縦アーチライン後側位置点Ｐ７Ａに対向する足の外側となる端と床までの高さは１３．０ｍｍ程度（１２．５〜１３．５ｍｍ：好ましく１３．０ｍｍ）にされている。
【０１３２】
また、図８（ｂ）、図１０（ｄ）に示すように、切片（１０）の第５中足骨対応領域１４６の厚さは２．０ｍｍ程度（１．５〜２．５ｍｍ：好ましく２．０ｍｍ）にされている。さらに、図１０（ｄ）に示すように、床（Ｒｉ）から第５中足骨対応領域１４６面の高さまでは８．０ｍｍ程度（７．５〜８．０ｍｍ：好ましくは８．０ｍｍ）にされている。
【０１３３】
さらに、図９（ｄ）に示すように、基準ヒール用内側縦アーチライン後側位置点Ｐ７Ａに対向する中央縦アーチラインＨ上の位置には基準ヒール用中央縦アーチライン後側位置点Ｐ８Ａが形成されている。
【０１３４】
この基準ヒール用中央縦アーチライン後側位置点Ｐ８Ａは、図８（ａ）、図８（ｂ）、図１０（ｄ）に示すように、切片（１０）に存在している。
【０１３５】
基準ヒール用中央縦アーチライン後側位置点Ｐ８Ａの高さは、基準ヒール用インソール１００Ａを床（Ｒｉ）に置いた場合は、図１０（ｄ）に示すように床（Ｒｉ）から１４．０ｍｍ程度（１３．５〜１４．５ｍｍ：好ましくは１４．０ｍｍ）にされている。
【０１３６】
すなわち、基準ヒール用内側縦アーチライン後側位置点Ｐ７Ａと基準ヒール用中央縦アーチライン後側位置点Ｐ８Ａとの高さの差は２．０ｍｍ程度にされ、基準ヒール用中央縦アーチライン後側位置点Ｐ８Ａと第５中足骨対応領域１４６面との高低差は、６．０ｍｍ程度にされている。
【０１３７】
[基準ヒール用横アーチ用凸部１５０Ａの主要頂点の説明]
図９（ｂ）、図９（ｃ）に示すように、基準ヒール用横アーチ用凸部頂点Ｐ２Ａの位置は、基準ヒール用インソール後端１０３Ａから１２３．５ｍｍ（１２３．０〜１２４．０ｍｍ：好ましくは１２５．０ｍｍ）に形成されている。つまり、６ｃｍヒールに対して２倍程度の長さになる位置に形成されている。
【０１３８】
そして、この基準ヒール用横アーチ用凸部頂点Ｐ２Ａから足内側となる足内側側面エッジ面１８６Ａ側に対して直角に線を引いて足内側側面エッジ面１８６Ａの縁に交わる点（横アーチ頂点対向内側側面エッジ点１８６Ａｂ）までは、３３．２ｍｍ程度（３２．７〜３３．７ｍｍ：好ましくは３３．２ｍｍ）にされている。
【０１３９】
また、基準ヒール用横アーチ用凸部頂点Ｐ２Ａから足外側となる足外側エッジ面１７５Ａ側に対して直角に線を引いてその足外側エッジ面１７５Ａの縁に交わる点（横アーチ頂点対向外側側面エッジ点１７５Ａｂ）までは、３３．８ｍｍ程度（３３．３〜３４．３ｍｍ：好ましくは３３．８ｍｍ）にされている
また、図９（ｂ）に示すように、基準ヒール用横アーチ用凸部頂点Ｐ２Ａの高さは、６ｃｍヒールを床（Ｒｉ）に置いた場合は、この床（Ｒｉ）から１２．０ｍｍ程度（１１．５ｍｍ〜１２．５ｍｍ：好ましくは１２．０ｍｍ）の高さにされている（図１０（ａ）参照）。
【０１４０】
この基準ヒール用横アーチ用凸部頂点Ｐ２Ａは、図８（ａ）、図８（ｂ）及び図１０（ａ）に示すように切片（１４）に存在している。
【０１４１】
また、基準ヒール用横アーチ用凸部頂点Ｐ２Ａに対向する足内側側面エッジ面１８６Ａにおける横アーチ頂点対向内側側面エッジ点１８６Ａｂは、基準ヒール用インソール１００Ａを床（Ｒｉ）に置いた場合は、その高さは、図１０（ａ）及び図１０（ａ）に示すように、床（Ｒｉ）から１１．０ｍｍ（１０．５〜１１．５ｍｍ：好ましくは１１．０ｍｍ）にされている。
【０１４２】
さらに、基準ヒール用横アーチ用凸部頂点Ｐ２Ａに対向する足外側エッジ面１７５Ａにおける横アーチ頂点対向外側側面エッジ点１７５Ａｂの高さは、図９（ｄ）及び図１０（ａ）に示すように、基準ヒール用インソール１００Ａを床（Ｒｉ）に置いた場合は、床（Ｒｉ）から７．０ｍｍ程度（６．５〜７．５ｍｍ：好ましくは７．０ｍｍ）の高さにされている。
【０１４３】
（基準ヒール用外側縦アーチ用凸部頂点Ｐ９Ａの高さ説明）
基準ヒール用外側縦アーチ用凸部頂点Ｐ９Ａは、図８（ａ）、図８（ｂ）、図１１に示すように切片（８）に存在している。そして、基準ヒール用外側縦アーチ用凸部頂点Ｐ９Ａの厚みは図１１に示すように４．０ｍｍ程度（３．５４５．５ｍｍ：好ましくは４．０ｍｍ）にされている。
【０１４４】
さらに、基準ヒール用外側縦アーチ用凸部頂点Ｐ９Ａの高さは図１１に示すように、基準ヒール用インソール１００Ａを床（Ｒｉ）に置いた場合は、床（Ｒｉ）から１４．０ｍｍ程度（１３．５〜１４．５ｍｍ：好ましくは１４．０ｍｍ）にされている。
【０１４５】
そして、図１１に示すように、切片（８）の縁点１７５Ａｃの床（Ｒｉ）からの高さは１６．０ｍｍ程度で、切片（１２）における基準ヒール用中央縦アーチライン中央位置点Ｐ５Ａの床（Ｒｉ）からの高さは１６．０ｍｍ程度であるから、切片（８）の縁点１７５Ａｃと基準ヒール用中央縦アーチライン中央位置点Ｐ５Ａとの高さは同定度である。
【０１４６】
また、図１１に示すように、基準ヒール用外側縦アーチ用凸部頂点Ｐ９Ａの高さは１４．０ｍｍ程度であり、基準ヒール用中央縦アーチライン後側位置点Ｐ８Ａの高さは１４．０ｍｍ程度だあるから、基準ヒール用外側縦アーチ用凸部頂点Ｐ９Ａと基準ヒール用中央縦アーチライン後側位置点Ｐ８Ａとの高さは同程度である。
【０１４７】
また、床（Ｒｉ）から第５中足骨対応領域１４６面までの高さは１０．０ｍｍ程度（９．５〜１０．５ｍｍ：好ましくは１０．０ｍｍ）にされている。
【０１４８】
（基準ヒール用踵部頂点１００Ａｐの説明）
基準ヒール用踵部頂点１００Ａｐは、図９（ｃ）に示すように、基準ヒール用インソール後端１０３Ａから２５．０ｍｍ程度（２４．５〜２５．５ｍｍ：好ましくは２５．０ｍｍ）の位置にある。この基準ヒール用踵部頂点１００Ａｐは、図８（ａ）、図８（ｂ）に示すように切片（２）に存在している。
【０１４９】
そして、図８（ｂ）に示すように基準ヒール用踵部頂点１００Ａｐの厚みは、２．０ｍｍ程度（１．５〜２．５ｍｍ：好ましくは２．０ｍｍ）にされている。
【０１５０】
[第５中足骨対応領域の説明]
第５中足骨対応領域１４６は、図８（ａ）及び図８（ｂ）に示すように、切片（９）〜切片（１１）に対応している。
【０１５１】
図８（ｂ）及び図１０（ｃ）、図１０（ｄ）、図１０（ｅ）に示すように、切片（９）〜切片（１１）の厚みは２．０ｍｍ程度（１．５〜２，５ｍｍ）にされている。つまり、第５中足骨対応領域１４６は基準ヒール用インソール前足部１０１Ａの切片（１７）の厚みと後足部３６０に対応する切片（３）、切片（２）の厚みと同程度にされている。つまり、厚みが薄くされている。
【０１５２】
（実施例１のまとめ）
従って、基準ヒール用外側縦アーチ用凸部頂点Ｐ９Ａの高さは１４．０ｍｍ程度で基準ヒール用中央縦アーチライン後側位置点Ｐ８Ａの高さは１４．０ｍｍ程度であるから。この２つの頂点で持ち上げることが可能となる。
【０１５３】
また、基準ヒール用土ふまず凸部領域１７０Ａは、上記説明の高さを有する各頂点及び各位置を有した曲面形状であるから足裏の土踏まず面Ｑｂ、接触足裏面Ｑａに万遍なく接して足裏を支えることになる。
【０１５４】
このとき、第５中足骨対応領域１４６の骨底付近の厚みは、基準ヒール用インソール前足部１０１Ａ、踵部３６０ａと同程度の薄さにされて、その面までの高さが１０．０ｍｍ程度であるから、基準ヒール用外側縦アーチ用凸部頂点Ｐ９Ａと基準ヒール用中央縦アーチライン後側位置点Ｐ８Ａとは４．０ｍｍ程度の十分な高低差があることになる。このため、第５中足骨３４６の骨底がインソールの表面に強く当たらないことになるので、第５中足骨３４６の骨底が痛くならない。
【０１５５】
＜実施例２＞
実施例２として、基準ヒール用インソール１００Ａに対しての低ヒール用インソール１００Ｃと高ヒール用インソール１００Ｂとの各頂点の位置の違いについて図１２を用いて説明する。また、各頂点の高さの違いについては図１３、図１４、図１５、図１６を用いて説明する。
【０１５６】
図１３は前側横アーチラインＹａ上における各頂点の高さの違いを説明する断面図である。
【０１５７】
図１４は中央横アーチラインＹｂ上における各頂点の高さの違いを説明する断面図である。
【０１５８】
図１５は後側横アーチラインＹｃ上における各頂点の高さの違いを説明する断面図である。
【０１５９】
図１６は外側縦アーチ用凸部における各頂点の高さの違いを説明する断面図である。
【０１６０】
これらの図においては、インソールの表面の曲線のみを示して説明する。
【０１６１】
また、図１２においては、基準ヒール用インソール１００Ａと低ヒール用インソール１００Ｃと高ヒール用インソール１００Ｂとを一つの図面にして説明する。
【０１６２】
また、図１２においては、高ヒール用インソール１００Ｂを一点線で示し、低ヒール用インソール１００Ｃを点線で示している。
【０１６３】
図１２に示すように、基準ヒール用インソール１００Ａに対して高ヒール用インソール１００Ｂは、先端が３ｍｍ程度（２．５〜３．５ｍｍ：好ましくは３．０ｍｍ）後ろ側になるようにされている（一点線で示している）。また、低ヒール用インソール１００Ｃは３ｍｍ程度（１．５〜４．０ｍｍ：好ましくは３ｍｍ）、前側になるようにされている（点線で示している）。
【０１６４】
さらに、基準ヒール用土ふまず凸部領域１７０Ａ（実線）に対して高ヒール用土ふまず凸領域１７０Ｂ（一点線）は、３ｍｍ程度（１．５〜４．０ｍｍ：好ましくは３ｍｍ）、後側になるようにされている。
【０１６５】
また、低ヒール用土ふまず凸領域１７０Ｃ（点線）は、基準ヒール用土ふまず凸部領域１７０Ａ（実線）に対して３ｍｍ程度（１．５〜４．０ｍｍ：好ましくは３ｍｍ）、前側になるようにされている。
【０１６６】
図１２には各々のインソールにおける前側横アーチラインＹａ上に存在している基準ヒール用内側縦アーチライン前側位置点Ｐ１Ａ（▲）、高ヒール用内側縦アーチライン前側位置点Ｐ１Ｂ（二重三角）、低ヒール用内側縦アーチライン前側位置点Ｐ１Ｃ（△）と、基準ヒール用横アーチ用凸部頂点Ｐ２Ａ（●）と、高ヒール用横アーチ用凸部頂点Ｐ２Ｂ（◎）と、低ヒール用横アーチ用凸部頂点Ｐ２Ｃ（○）と、基準ヒール用外側縦アーチライン前側位置点Ｐ３Ａ（▲）と、高ヒール用外側縦アーチライン前側位置点Ｐ３Ｂ（二重三角）と、低ヒール用外側縦アーチライン前側位置点Ｐ３Ｃ（△）とを示している。
【０１６７】
また、各々のインソールにおける中央横アーチラインＹｂ上に存在している基準ヒール用内側縦アーチ用凸部頂点Ｐ４Ａ（●）と、高ヒール用内側縦アーチ用凸部頂点Ｐ４Ｂ（◎）と、低ヒール用内側縦アーチ用凸部頂点Ｐ４Ｃ（○）と、基準ヒール用中央縦アーチライン中央位置点Ｐ５Ａ（▲）と、高ヒール用中央縦アーチライン中央位置点Ｐ５Ｂ（二重三角）と、低ヒール用中央縦アーチライン中央位置点Ｐ５Ｃ（△）と、基準ヒール用外側縦アーチライン中央位置点Ｐ６Ａ（▲）と、高ヒール用外側縦アーチライン中央位置点Ｐ６Ｂ（二重三角）と、低ヒール用外側縦アーチライン中央位置点Ｐ６Ｃ（△）とを示している。
【０１６８】
また、各々のインソールにおける後側横アーチラインＹｃ上に存在している基準ヒール用内側縦アーチライン後側位置点Ｐ７Ａ（▲）と、高ヒール用内側縦アーチライン後側位置点Ｐ７Ｂ（二重三角）と、低ヒール用内側縦アーチライン後側位置点Ｐ７Ｃ（△）と、基準ヒール用中央縦アーチライン後側位置点Ｐ８Ａと、高ヒール用中央縦アーチライン後側位置点Ｐ８Ｂ（二重三角）と、低ヒール用中央縦アーチライン後側位置点Ｐ８Ｃ（△）とを示している。
【０１６９】
さらに、基準ヒール用外側縦アーチ用凸部１６０Ａ（実線）と、高ヒール用外側縦アーチ用凸部１６０Ｂ（一点線）と、低ヒール用外側縦アーチ用凸部１６０Ｃ（点線）とを示し、各々の基準ヒール用外側縦アーチ用凸部頂点Ｐ９Ａ（●）と、高ヒール用外側縦アーチ用凸部頂点Ｐ９Ｂ（◎）と、低ヒール用外側縦アーチ用凸部頂点Ｐ９Ｃ（○）とを示している。
【０１７０】
（Ｙａ上における各頂点位置の説明）
図１２に示すように、高ヒール用インソール１００Ｂの場合は、その高ヒール用内側縦アーチライン前側位置点Ｐ１Ｂ（二重三角）及び高ヒール用横アーチ用凸部頂点Ｐ２Ｂ（◎）並びに高ヒール用外側縦アーチライン前側位置点Ｐ３Ｂ（二重三角）は、インソール後端１０３から１２０．５ｍｍ程度（１２０．０〜１２１．０ｍｍ：好ましくは１２０．５ｍｍ）の位置に形成されている。つまり、基準ヒール用インソール１００Ａの場合の基準ヒール用内側縦アーチライン前側位置点Ｐ１Ａ（▲）と比較すると、３．０ｍｍ程度後側に形成される。
【０１７１】
また、低ヒール用インソール１００Ｃの場合は、低ヒール用内側縦アーチライン前側位置点Ｐ１Ｃ（△）及び低ヒール用横アーチ用凸部頂点Ｐ２Ｃ（○）並びに低ヒール用外側縦アーチライン前側位置点Ｐ３Ｃ（△）は、インソール後端１０３から１２６．５ｍｍ程度であり、基準ヒール用インソール１００Ａの場合の基準ヒール用内側縦アーチライン前側位置点Ｐ１Ａ（▲）と比較すると３．０ｍｍ程度前に形成されている。
【０１７２】
一方、図１３に示すように、前側横アーチラインＹａ上における基準ヒール用内側縦アーチライン前側位置点Ｐ１Ａ（▲）に対して、高ヒール用内側縦アーチライン前側位置点Ｐ１Ｂ（二重三角）は０．５ｍｍ程度（０．３〜０．７ｍｍ：好ましくは０．５ｍｍ）、低くされて形成され、低ヒール用内側縦アーチライン前側位置点Ｐ１Ｃ（△）は１．５ｍｍ程度（１．２〜１．７ｍｍ：好ましくは１．５ｍｍ）、高く形成されている。
【０１７３】
すなわち、内側縦アーチライン前側位置点Ｐ１（Ｐ１Ａ、Ｐ１Ｂ、Ｐ１Ｃ）は、低ヒール用インソール１００Ｃの場合の低ヒール用内側縦アーチライン前側位置点Ｐ１Ｃが最も高く、次に基準ヒール用インソール１００Ａの場合の基準ヒール用内側縦アーチライン前側位置点Ｐ１Ａが次に高く、高ヒール用インソール１００Ｂの場合の高ヒール用内側縦アーチライン前側位置点Ｐ１Ｂが最も低く形成されている。
【０１７４】
また、図１３に示すように、前側横アーチラインＹａ上における基準ヒール用横アーチ用凸部頂点Ｐ２Ａ（●で示している）に対して、高ヒール用横アーチ用凸部頂点Ｐ２Ｂ（◎）は、１．６ｍｍ程度（１．３〜１．９ｍｍ：好ましくは１．６ｍｍ）、低くされて形成され、低ヒール用横アーチ用凸部頂点Ｐ２Ｃ（○）は、１．５ｍｍ程度（１．２〜１．７ｍｍ：好ましくは１．５ｍｍ）、高く形成されている。
【０１７５】
すなわち、横アーチ用凸部頂点Ｐ２（Ｐ２Ａ、Ｐ２Ｂ、Ｐ２Ｃ）は、低ヒール用インソール１００Ｃの場合の低ヒール用横アーチ用凸部頂点Ｐ２Ｃ（○）が最も高く、次に基準ヒール用インソール１００Ａの場合の基準ヒール用横アーチ用凸部頂点Ｐ２Ａ（●）が次に高く、高ヒール用横アーチ用凸部頂点Ｐ２Ｂ（◎）が最も低く形成される。
【０１７６】
さらに、高ヒール用外側縦アーチライン前側位置点Ｐ３Ｂ（二重三角）は、基準ヒール用外側縦アーチライン前側位置点Ｐ３Ａ（▲）に対して、０．３ｍｍ程度（０．２〜０．４ｍｍ：好ましくは０．３ｍｍ）、低く形成され、低ヒール用外側縦アーチライン前側位置点Ｐ３Ｃ（△）は、基準ヒール用外側縦アーチライン前側位置点Ｐ３Ａ（▲）に対して、０．３ｍｍ程度（０．２〜０．４ｍｍ：好ましくは０．３ｍｍ）、低く形成されている。
【０１７７】
すなわち、外側縦アーチライン前側位置点Ｐ３（Ｐ３Ａ、Ｐ３Ｂ、Ｐ３Ｃ）は、低ヒール用インソール１００Ｃの場合の低ヒール用外側縦アーチライン前側位置点Ｐ３Ｃ（△）が最も高く、次に基準ヒール用インソール１００Ａの場合の基準ヒール用外側縦アーチライン前側位置点Ｐ３Ａ（▲）が次に高く、高ヒール用インソール１００Ｂの場合の高ヒール用外側縦アーチライン前側位置点Ｐ３Ｂが最も低く形成される。
【０１７８】
（Ｙｂ上における各頂点位置の説明）
図１２に示すように、高ヒール用インソール１００Ｂの場合は、その高ヒール用内側縦アーチ用凸部頂点Ｐ４Ｂ（◎）及び高ヒール用中央縦アーチライン中央位置点Ｐ５Ｂ（二重三角）並びに高ヒール用外側縦アーチライン中央位置点Ｐ６Ｂ（二重三角）は、インソール後端１０３から９３．０ｍｍ程度（９２．５〜９３．５ｍｍ：好ましくは９３．０ｍｍ）の位置に形成されている。
【０１７９】
つまり、高ヒール用インソール１００Ｂの場合の高ヒール用内側縦アーチ用凸部頂点Ｐ４Ｂ（◎）及び高ヒール用中央縦アーチライン中央位置点Ｐ５Ｂ（二重三角）並びに高ヒール用外側縦アーチライン中央位置点Ｐ６Ｂ（二重三角）は、基準ヒール用インソール１００Ａの場合の基準ヒール用内側縦アーチ用凸部頂点Ｐ４Ａ（●）と比較すると、３．０ｍｍ程度前側に形成される。
【０１８０】
また、低ヒール用インソール１００Ｃの場合は、その低ヒール用内側縦アーチ用凸部頂点Ｐ４Ｃ（○）及び低ヒール用中央縦アーチライン中央位置点Ｐ５Ｃ（△）並びに低ヒール用外側縦アーチライン中央位置点Ｐ６Ｃ（△）は、インソール後端１０３から８７．０ｍｍ程度（８６．５〜８７．５ｍｍ：好ましくは８９．０ｍｍ）であり、基準ヒール用インソール１００Ａの場合の基準ヒール用内側縦アーチ用凸部頂点Ｐ４Ａ（●）と比較すると３．０ｍｍ程度後ろに形成されている。つまり、インソール後端１０３からは６ｃｍヒールに対して、１．４５倍程度の長さとなる位置に形成されている。
【０１８１】
一方、図１４に示すように、中央横アーチラインＹｂ上における基準ヒール用内側縦アーチ用凸部頂点Ｐ４Ａ（●）に対して、高ヒール用内側縦アーチ用凸部頂点Ｐ４Ｂ（◎）は０．３ｍｍ程度（０．２〜０．５ｍｍ：好ましくは０．３ｍｍ）、高くされて形成され、低ヒール用内側縦アーチ用凸部頂点Ｐ４Ｃ（○）は０．３ｍｍ程度、低く形成されている。
【０１８２】
すなわち、内側縦アーチ用凸部頂点Ｐ４（Ｐ４Ａ、Ｐ４Ｂ、Ｐ４Ｃ）は、高ヒール用インソール１００Ｂの場合の高ヒール用内側縦アーチ用凸部頂点Ｐ４Ｂが最も高く、次に基準ヒール用インソール１００Ａの場合の基準ヒール用内側縦アーチ用凸部頂点Ｐ４Ａ（●）が次に高く、低ヒール用インソール１００Ｃの場合の低ヒール用内側縦アーチ用凸部頂点Ｐ４Ｃが最も低く形成される。
【０１８３】
また、図１４に示すように、中央横アーチラインＹｂ上における高ヒール用インソール１００Ｂの場合の高ヒール用中央縦アーチライン中央位置点Ｐ５Ｂ（二重三角）は、基準ヒール用インソール１００Ａの場合の基準ヒール用中央縦アーチライン中央位置点Ｐ５Ａ（▲）に対して、０．５ｍｍ程度、高くされて形成され、低ヒール用インソール１００Ｃの場合の低ヒール用中央縦アーチライン中央位置点Ｐ５Ｃは、０．５ｍｍ程度、低く形成されている。
【０１８４】
すなわち、中央縦アーチライン中央位置点Ｐ５（Ｐ５Ａ、Ｐ５Ｂ、Ｐ５Ｃ）は、高ヒール用インソール１００Ａの場合の高ヒール用中央縦アーチライン中央位置点Ｐ５Ｂ（二重三角）が最も高く、次に基準ヒール用インソール１００Ａの場合の基準ヒール用中央縦アーチライン中央位置点Ｐ５Ａ（▲）が次に高く、低ヒール用インソール１００Ｃの場合の低ヒール用中央縦アーチライン中央位置点Ｐ５Ｃ（△）が最も低く形成される。
【０１８５】
さらに、高ヒール用インソール１００Ｂの場合の高ヒール用外側縦アーチライン中央位置点Ｐ６Ｂ（二重三角）は、基準ヒール用インソール１００Ａの場合の基準ヒール用外側縦アーチライン中央位置点Ｐ６Ａ（▲）に対して、１．０ｍｍ程度（０．５〜１．５ｍｍ：好ましくは１．０ｍｍ）、高く形成され、低ヒール用インソール１００Ｃの場合の低ヒール用外側縦アーチライン中央位置点Ｐ６Ｃ（△）は、１．０ｍｍ程度、低く形成されている。
【０１８６】
すなわち、外側縦アーチライン中央位置点Ｐ６（Ｐ６Ａ、Ｐ６Ｂ、Ｐ６Ｃ）は、高ヒール用インソール１００Ｂの場合の高ヒール用外側縦アーチライン中央位置点Ｐ６Ｂ（二重三角）が最も高く、次に基準ヒール用インソール１００Ａの場合の基準ヒール用外側縦アーチライン中央位置点Ｐ６Ａ（▲）が次に高く、低ヒール用インソール１００Ｃの場合の低ヒール用外側縦アーチライン中央位置点Ｐ６Ｃが最も低く形成される。
【０１８７】
（後側横アーチラインＹｃ）
図１２に示すように、高ヒール用インソール１００Ｂの場合は、その高ヒール用内側縦アーチライン後側位置点Ｐ７Ｂ（二重三角）及び高ヒール用中央縦アーチライン後側位置点Ｐ８Ｂは、インソール後端１０３から７４．０ｍｍ（７３．５〜７４．５ｍｍ：好ましくは７４．０ｍｍ）の位置に形成されている。
【０１８８】
また、低ヒール用インソール１００Ｃの場合の低ヒール用内側縦アーチライン後側位置点Ｐ７Ｃ（△）及び、低ヒール用中央縦アーチライン後側位置点Ｐ８Ｃ（△）は、インソール後端１０３から６８．０ｍｍ程度（６７．５〜６８．５ｍｍ：好ましくは６８．０ｍｍ）の位置に形成されている。
【０１８９】
つまり、高ヒール用インソール１００Ｂの場合の高ヒール用内側縦アーチライン後側位置点Ｐ７Ｂ（二重三角））及び高ヒール用中央縦アーチライン後側位置点Ｐ８Ｂは、基準ヒール用インソール１００Ａの場合の基準ヒール用内側縦アーチライン後側位置点Ｐ７Ａ（▲）及び基準ヒール用中央縦アーチライン後側位置点Ｐ８Ａと比較すると、それぞれ３．０ｍｍ程度前側に形成される。
【０１９０】
また、低ヒール用インソール１００Ｃの場合は、その低ヒール用内側縦アーチライン後側位置点Ｐ７Ｃ（△）及低ヒール用中央縦アーチライン後側位置点Ｐ８Ｃ（△）は、基準ヒール用インソール１００Ａの場合の基準ヒール用内側縦アーチライン後側位置点Ｐ７Ａ及び基準ヒール用中央縦アーチライン後側位置点Ｐ８Ａに対してそれぞれ３．０ｍｍ程度後ろ側に位置するように形成されている。
【０１９１】
一方、図１５に示すように、後側横アーチラインＹｃ上における基準ヒール用内側縦アーチライン後側位置点Ｐ７Ａ（▲）に対して、高ヒール用内側縦アーチライン後側位置点Ｐ７Ｂ（二重三角）は、１．５ｍｍ程度（１．３〜１．７ｍｍ：好ましくは１．５ｍｍ）、高く形成され、低ヒール用内側縦アーチライン後側位置点Ｐ７Ｃは２．０ｍｍ程度（１．８〜２．２ｍｍ：好ましくは２．０ｍｍ）、低く形成されている。
【０１９２】
すなわち、内側縦アーチライン後側位置点Ｐ７（Ｐ７Ａ、Ｐ７Ｂ、Ｐ７Ｃ）は、高ヒール用インソール１００Ｂの場合の高ヒール用内側縦アーチライン後側位置点Ｐ７Ｂが最も高く、次に基準ヒール用インソール１００Ａの場合の基準ヒール用内側縦アーチライン後側位置点Ｐ７Ａ（▲）が次に高く、低ヒール用インソール１００Ｃの場合の低ヒール用内側縦アーチライン後側位置点Ｐ７Ｃが最も低く形成される。
【０１９３】
（外側縦アーチ用凸部１６０）
基準ヒール用インソール１００Ａ、高ヒール用インソール１００Ｂ、低ヒール用インソール１００Ｃのが場合の外側縦アーチ用凸部１６０の各頂点の高さについて図１６を用いて説明する。
【０１９４】
図１６に示すように、高ヒール用インソール１００Ｂの高ヒール用外側縦アーチ用凸部頂点Ｐ９Ｂは、基準ヒール用インソール１００Ａの場合の基準ヒール用外側縦アーチ用凸部頂点Ｐ９Ａ（●）に対して０．３ｍｍ程度（０．２〜０．４ｍｍ：好ましくは０．３ｍｍ）、高くされ、低ヒール用インソール１００Ｃの場合の低ヒール用外側縦アーチ用凸部頂点Ｐ９Ｃ（○）は０．５ｍｍ程度、低くされている。
【０１９５】
（高さの理由）
上記の各頂点の高さは、足を乗せて傾斜を変えてその足裏の各部位の高さを測定する測定器（図示せず）によって測定した結果で決定している。
【０１９６】
本実施の形態では図１７（ａ）及び図１７（ｂ）に示す足裏の各部位ＱＰ１〜ＱＰ９の高さを計測した。
【０１９７】
そして、図１８、図１９、図２０に複数の女性の足裏の各部位のＱＰ１〜ＱＰ９の高さの平均を示す。
【０１９８】
図１８には前側横アーチラインＹａ、図１９には中央横アーチラインＹｂ、図２０には後側横アーチラインＹｃを示す。これらの測定結果から図１２等に示す各インソールの各々の各頂点及び位置点の高さを決定した。
【０１９９】
（ヒールの高さの違いによる説明）
本実施の形態のヒール高別インソールを用いた場合の効果を、図２１を用いて説明する。この説明では横アーチ用凸部１５０を一例として説明する。
【０２００】
図２１（ａ）には高ヒール用インソール１００Ｂを用いた場合を示し、図２１（ｂ）には基準ヒール用インソール１００Ａを用いた場合を示し、図２１（ｃ）には、低ヒール用インソール１００Ｃを用いた場合を示す。ただし、インソールは図１におけるａ―ｂ断面で示し、足骨格は足の内側から見た場合として示す。
【０２０１】
そして、図２１（ｂ）の基準ヒール用インソール１００Ａを用いた女性靴２００に足を入れた場合と、図２１（ｃ）とを比較すると、足はヒールが高くなるにつれて足の甲が湾曲している。このため、横アーチの頂点に対応する足裏の領域もヒールが高くなるに従って位置が多少後方にずれる。つまり、横アーチ用凸部頂点部位ＱＰ２（□印で示している）が後方にずれる。
【０２０２】
しかし、本ヒール高別インソールは、図２１（ａ）に示すように、高ヒール用インソール１００Ｂの高ヒール用横アーチ用凸部頂点Ｐ２Ｂは、図２１（ｂ）に示す基準ヒール用インソール１００Ａの基準ヒール用横アーチ用凸部頂点Ｐ２Ａに対して後ろにずれているので、その高ヒール用横アーチ用凸部頂点Ｐ２Ｂが図１７に示す第２中足骨３４３と第３中足骨３４４との間に位置（横アーチ頂点部位ＱＰ２）して足の横アーチを支えることになる。
【０２０３】
また、図２１（ｃ）に示す低ヒール用インソール１００Ｃを用いた女性靴に足を入れた場合と、図２１（ｂ）とを比較すると、足はヒールが低くなるに従って足の甲がまっすぐになる。このため、横アーチの頂点に対応する足裏の領域もヒールが低くなるに従って位置が前の方に多少ずれる。つまり、足裏の横アーチ頂点部位ＱＰ２が前に多少ずれる。
【０２０４】
しかし、低ヒール用インソール１００Ｃの低ヒール用横アーチ用凸部頂点Ｐ２Ｃは、図２１（ｃ）に示すように基準ヒール用インソール１００Ａの基準ヒール用横アーチ用凸部頂点Ｐ２Ａに対して前にずれているので、その低ヒール用横アーチ用凸部頂点Ｐ２Ｃが第２中足骨３４３と第３中足骨３４４との間に位置（ＱＰ２）して足の横アーチを支えることになる。
【０２０５】
図２２に本実施の形態のヒール高別インソールを用いた場合の荷重の割合効果を示す。
【０２０６】
左は本実施の形態のヒール高別インソールを用いない場合の荷重分布を示している。ヒール高別インソールを用いない場合は、横アーチ用凸部１５０に荷重が多くかかっている。これに対して、本実施の形態のヒール高別インソール１００を用いた場合は、右に示すように、横アーチ用凸部１５０の部分は青色となっている。つまり、荷重は低減されている。そして、左の図に示すように、全体的にほぼ青色になっているので、荷重は全体的分散されている。従って、足が疲れないと共に、足が痛くならない。
【０２０７】
＜その他の実施の形態＞
なお、上記実施の形態のインソール前足部１０１（１０１Ａ、・・）を図２３（ａ）に示すように長くしてもよいし、図２３（ｂ）に示すように厚みを一定にしても構わない。
【０２０８】
この図２３（ａ）、図２３（ｂ）は図１におけるａ―ｂ断面で示し、ヒール高別インソール１００（３ｃｍ、６ｃｍ又は９ｃｍ用）を床においた状態で示している。
【０２０９】
また、図２４に示すように、ヒール高別インソール１００（３ｃｍ、６ｃｍ又は９ｃｍ用）の上に、表皮４００（革、合成革等）を接着してもちいても構わない。この表皮３００はヒール高別インソール１００の縦寸法と同じであっても構わないし、長くても構わない。
【０２１０】
図２４（ａ）は上面を示し、図２４（ｂ）は図１におけるａ―ｂ断面を示している。但し、図２４（ｂ）は表皮４００の前側を引っ張った状態で示している。
【０２１１】
また、ヒールが１ｃｍ高くなると頂点（例えばＰ４）を２ｍｍ程度前（１．８〜２．２ｍｍ：好ましくは２．０ｍｍ）高くし、横アーチ用凸部頂点Ｐ２を１ｍｍ程度（０．８〜１．２ｍｍ：好ましくは１．０ｍｍ）後ろに形成するようにするのが好ましい。
【０２１２】
以上に示した実施の形態は、本発明の技術的思想を具体化するための構成を例示するものであって、構成部品の配置や組み合わせ、および処理の順番等を限定するものではない。
【０２１３】
本発明の技術的思想は、特許請求の範囲に記載された技術的範囲内において、種々の変更を加えることができる。図面は模式的なものであり、装置の構成等は現実のものとは異なることに留意すべきである。
【符号の説明】
【０２１４】
１００  ヒール高別インソール
１４０  内側縦アーチ用凸部
１５０  横アーチ用凸部
１６０  外側縦アーチ用凸部
１７０  土踏まず凸部領域
２００  女性靴
２２０  本底
２３０  ヒール
３１０  前足部
２４０  中足部
３６０  後足部
３１２  第１末節骨
３１３  第２末節骨
３１４  第３末節骨
３１５  第４末節骨
３１６  第５末節骨
３４２  第１中足骨
３４３  第２中足骨
３４４  第３中足骨
３４５  第４中足骨
３４６  第５中足骨
３５２  第１楔状骨
３５３  第２楔状骨
３５４  第３楔状骨
３５６  立方骨
３５７  舟状骨
３６２  距骨
３６３  踵骨
【図１】
0006518429.tif 000002
【図２】
0006518429.tif 000003
【図３】
0006518429.tif 000004
【図４】
0006518429.tif 000005
【図５】
0006518429.tif 000006
【図６】
0006518429.tif 000007
【図７】
0006518429.tif 000008
【図８】
0006518429.tif 000009
【図９】
0006518429.tif 000010
【図１０】
0006518429.tif 000011
【図１１】
0006518429.tif 000012
【図１２】
0006518429.tif 000013
【図１３】
0006518429.tif 000014
【図１４】
0006518429.tif 000015
【図１５】
0006518429.tif 000016
【図１６】
0006518429.tif 000017
【図１７】
0006518429.tif 000018
【図１８】
0006518429.tif 000019
【図１９】
0006518429.tif 000020
【図２０】
0006518429.tif 000021
【図２１】
0006518429.tif 000022
【図２２】
0006518429.tif 000023
【図２３】
0006518429.tif 000024
【図２４】
0006518429.tif 000025
【図２５】
0006518429.tif 000026
【図２６】
0006518429.tif 000027